(57)【特許請求の範囲】
【請求項１】
ディスク状記録媒体を装着して回転させるための回転駆動部及びディスク状記録媒体に係る情報の再生又は記録を行うためのヘッド部を備えた筐体部と、ディスク状記録媒体を収容し又は排出するために、第１の位置と第２の位置とに亘ってスライド自在な状態で上記筐体部に支持された収容部とを備えたディスク装置であって、
ディスク状記録媒体が収容されて上記収容部が上記第１の位置に来た状態では、ディスク状記録媒体の挿入及び排出用のディスク挿脱口が当該収容部と上記筐体部との間に形成され、
ディスク状記録媒体が排出されて上記収容部が上記第２の位置に来た状態では、上記ディスク挿脱口が閉じられるか又はディスク挿脱口が狭められるようにし、
上記収容部が上記第１の位置に来た状態で筐体部との間に形成されるディスク挿脱口から挿入されたディスク状記録媒体を装着して回転させるためのターンテーブル及び当該ディスク状記録媒体に対してディスクの半径方向に沿って移動されるヘッド部を有するシャーシが上記筐体部に設けられており、
上記ターンテーブル又はヘッド部が上記シャーシに対して移動可能な状態で支持されるとともに、
上記ディスク挿脱口からディスク状記録媒体を挿入する時及び当該ディスク状記録媒体を排出する時には、上記ターンテーブル又はヘッド部が上記収容部から離間する方向へ移動され、また、上記ディスク挿脱口からディスク状記録媒体を挿入させた後に、上記ターンテーブル又はヘッド部が当該ディスク状記録媒体に近づく方向へと移動されて、ターンテーブル上にディスク状記録媒体が載置され又はヘッド部が当該ディスク状記録媒体に対向するようにした
ことを特徴とするディスク装置。
【請求項２】
請求項１に記載したディスク装置において、
ディスク状記録媒体を装置から排出するためのイジェクト機構を備えており、収容部が第２の位置にスライドされると、当該イジェクト機構の全体又は当該機構を構成する部材が移動されて筐体部内に収納される
ことを特徴とするディスク装置。
【請求項３】
請求項１に記載したディスク装置において、
ディスク状記録媒体のカートリッジに設けられたシャッターを開閉させるためのシャッター開閉機構を備えており、収容部が第２の位置にスライドされるのに伴って、当該シャッター開閉機構の全体又は当該機構を構成する部材が筐体部内に収納される
ことを特徴とするディスク装置。
【請求項４】
請求項１に記載したディスク装置において、
収容部には付勢手段によって筐体部に近づく方向又は当該筐体部から離れる方向への付勢力が常に与えられており、当該収容部が当該付勢力に抗して第１の位置又は第２の位置へと移動されたときに収容部がロックされる
ことを特徴とするディスク装置。
【請求項５】
請求項１に記載したディスク装置において、
シャーシにはヘッド部の送り機構を構成する送り軸が回転自在に支持されており、
上記送り軸を支点としてヘッド部が上記シャーシに対して傾動されるようにした
ことを特徴とするディスク装置。
【請求項６】
請求項１に記載したディスク装置において、
シャーシには、ヘッド部の支持枠と、スピンドルモータの支持枠が設けられており、
上記支持枠が連動して傾動されるようにした
ことを特徴とするディスク装置。
【請求項７】
請求項１に記載したディスク装置において、
ターンテーブルがヘッド部とともにディスク状記録媒体及びシャーシに対して傾動されるようにした
ことを特徴とするディスク装置。
【請求項８】
請求項２に記載したディスク装置において、
イジェクト機構には、
収容されたディスク状記録媒体をディスク挿脱口から排出する方向に向けて移動させるイジェクトアームと、
ディスク状記録媒体をディスク挿脱口から挿入し又は排出する時に、ターンテーブル又はヘッド部の支持枠をディスク状記録媒体から離間した位置で保持するためのロック部が設けられている
ことを特徴とするディスク装置。
【請求項９】
請求項８に記載したディスク装置において、
イジェクトアームには筐体部から外部へ突出する方向への付勢力が常に働いており、収容部が第２の位置に来たときに当該収容部によってイジェクトアームが回動されて筐体部内に収納された状態となる
ことを特徴とするディスク装置。
【請求項１０】
請求項１に記載したディスク装置において、
ターンテーブル又はヘッド部をディスク状記録媒体に近づける方向に付勢力を与えるための付勢手段が設けられている
ことを特徴とするディスク装置。
【発明の詳細な説明】
【０００１】
【発明の属する技術分野】
本発明は、ディスク装置の不使用時における薄型化を実現するための技術に関する。
【０００２】
【従来の技術】
ディスク装置において、その筐体部内に配置されるシャーシには、ディスク状記録媒体を載置して回転させるための回転駆動部や、情報の再生や記録を行うためのヘッド部が設けられている。そして、シャーシよりも突出した部分としてターンテーブルやヘッド部の対物レンズ等が存在しているため、ディスクを装置に装着する場合にこれを保持するためのディスクホルダーが設けられる。つまり、ディスクホルダーは、シャーシの上側に位置されていて、その一端部を支点として回動されるようになっているので、ディスクをディスクホルダーに対して挿入したり当該ホルダーからディスクを排出するに際して、ディスクホルダーをシャーシから離間する方向へと回動させてから当該ホルダーにディスクをセットすることで、ターンテーブル等との干渉を回避することができる。尚、情報の再生や記録時には、ディスクホルダーをシャーシ側へと回動させることにより、当該ディスクホルダーがシャーシに対して平行に位置された状態となって、ディスクがターンテーブルに装着されることになる。
【０００３】
【発明が解決しようとする課題】
ところが、従来のディスク装置にあっては、下記に示す問題がある。
【０００４】
・ディスクホルダーによって装置が厚くなるため大型化の原因となってしまう。即ち、ディスクを装置に装着するか、しないかには無関係に、装置の厚みはディスクホルダーを含めた厚みにより規定される（装置へのディスクの装着時には、ディスクホルダーを開けた状態にする必要があるので、さらに厚みが増す。）。
【０００５】
・装置に対してディスクが装着されていないときでも、当該ディスクの収容空間が常に形成されているので、装置の厚さ方向における機械的強度が低くなってしまう。つまり、当該厚さ方向に過度の外力が加わった場合において、蓋体やカバー等の厚みを充分に確保しておかないと変形等が惹き起こされる虞がある。
【０００６】
そこで、本発明は、ディスク装置の薄型化及び機械的強度の向上を課題とする。
【０００７】
【課題を解決するための手段】
本発明は、上記した課題を解決するために、ディスク状記録媒体を収容し又は排出するに際して、第１の位置と第２の位置とに亘ってスライド自在な状態で筐体部に支持された収容部を備えており、ディスク状記録媒体が収容されて当該収容部が第１の位置に来た状態では、ディスク状記録媒体の挿入及び排出用のディスク挿脱口が収容部と筐体部との間に形成され、また、ディスク状記録媒体が排出されて収容部が第２の位置に来た状態では、ディスク挿脱口が閉じられるか又はディスク挿脱口が狭められるようにし、収容部が第１の位置に来た状態で筐体部との間に形成されるディスク挿脱口から挿入されたディスク状記録媒体を装着して回転させるためのターンテーブル及び当該ディスク状記録媒体に対してディスクの半径方向に沿って移動されるヘッド部を有するシャーシが筐体部に設けられており、ターンテーブル又はヘッド部がシャーシに対して移動可能な状態で支持されるとともに、ディスク挿脱口からディスク状記録媒体を挿入する時及び当該ディスク状記録媒体を排出する時には、ターンテーブル又はヘッド部が収容部から離間する方向へ移動され、また、ディスク挿脱口からディスク状記録媒体を挿入させた後に、ターンテーブル又はヘッド部が当該ディスク状記録媒体に近づく方向へと移動されて、ターンテーブル上にディスク状記録媒体が載置され又はヘッド部が当該ディスク状記録媒体に対向するように構成したものである。
【０００８】
従って、本発明にあっては、ディスク状記録媒体の不使用時には収容部を第２の位置へとスライドさせることにより、装置の厚みを薄くすることができるとともに、この状態ではディスク状記録媒体のための収容空間がなくなり又は充分に小さなスペースとなるので、厚さ方向の押圧力に対する機械的強度を確保することができる。
【０００９】
【発明の実施の形態】
以下に、本発明ディスク装置の実施の形態について添付図面を参照して説明する。
【００１０】
尚、図示した構成例については、本発明を、直径が略６４ｍｍのディスクに記録された情報の再生又は記録を行うことができる装置に適用したものであるが、これに限らず、ディスク状記録媒体を用いた各種の装置への適用が可能である。
【００１１】
図１及び図２は、ディスク装置１及びディスク状記録媒体１００について外観を示すものである。
【００１２】
ディスク装置１は、筐体部２と収容部（上蓋あるいは上パネル）３を備えており、収容部３が筐体部２に対してスライド自在な状態で筐体部２に支持されている。
【００１３】
即ち、収容部３は、筐体部２に対して、第１の位置と第２の位置とに亘ってスライドし得る状態で取り取り付けられており、図１に示すように、当該収容部３が第１の位置に来た状態では、ディスク状記録媒体１００の挿入及び排出用のディスク挿脱口４が収容部３と筐体部２との間に形成される。よって、ディスク挿脱口４からディスク状記録媒体１００を挿入し、収容部３と筐体部２との間に画成される空間に当該ディスク状記録媒体を配置させることができる。
【００１４】
尚、ディスク状記録媒体１００については、カートリッジ１０１内に円盤状のディスク１０２が収められており、当該カートリッジ１０１に対してシャッター１０３がスライド自在な状態で取り付けられている。つまり、シャッター１０３は、カートリッジ１０１に形成されたヘッドアクセス用孔１０１ａに対して不使用時にこれを塞ぐために設けられており、収容部３に付設された、後述のシャッター開閉機構によって開閉されるようになっている。
【００１５】
シャッター１０３は、孔１０１ａを覆う部分１０３ａと、カートリッジ１０１に形成された溝１０１ｂに係合された部分１０３ｂを有しており、後者には孔１０３ｃが形成されている。
【００１６】
ディスク１０２については、光磁気ディスクに限らず、相変化形ディスク、磁気ディスク等への幅広い適用が可能である。尚、ディスク状記録媒体を装着して回転させるための回転駆動部や、ディスク状記録媒体に係る情報の再生又は記録を行うためのヘッド部が必要とされるが、これらは筐体部２内に配置されている（後で詳述する。）。
【００１７】
図２は、ディスク状記録媒体１００が装置１に装着されておらず、収容部３が第２の位置に来た状態を示している。
【００１８】
この状態では、図示のようにディスク挿脱口４が閉じられるか、又はディスク挿脱口が狭められていて、装置の厚さが最も薄い状態とされる。即ち、ディスク状記録媒体１００の不使用時において、収容部３と筐体部２との間には、ディスク状記録媒体のための収容空間がなくなるか又は最小となる。尚、装置厚を最小にするには、収容部を筐体部側にスライドさせて、ディスク挿脱口を完全に閉じた状態にすることが好ましく、これは防塵対策やコンパクト化にとっても望ましい。
【００１９】
図３、図４は、収容部３の筐体部２に対する支持構造（取付構造）の一例を示したものである。
【００２０】
ディスク装置１の筐体部２には、上記回転駆動部やヘッド部等を含む所要の機構が設けられており、収容部３がスライド自在な状態で結合される。
【００２１】
収容部３については、図３に示すように、四角形状をした天板部５と、該天板部５の周縁から垂設された周面部６とが一体に形成されており、周面部６は前面部６ａ（以下、ディスク状記録媒体の排出方向を前方と定義する。）と後面部６ｂと右側面部６ｃと左側面部６ｄとから成る。そして、前面部６ａは、その両端寄りに位置する部分を除く大半分が切り欠かれた形状とされ、これにより横長のディスク挿脱口を形成するものである。また、後面部６ｂには、所定の幅をもった切欠７が形成されているが、これは図示しない電池ボックスの取り付け等を目的としたものであるが、装置１を持つときの利便性をも考慮して切欠の幅や形状等が規定されている。尚、周面部６の前面部６ａについては、これを全くなくすことにより、右側面部６ｃ及び左側面部６ｄ、天板部５、そして筐体部２との間でディスク挿脱口を形成するようにした形態が可能である。
【００２２】
天板部５の内面には、シャッター開閉部８と、ディスク状記録媒体のカートリッジに対する押えバネ９が付設されている。
【００２３】
シャッター開閉部８は金属材料等で形成されており、右側面部６ｃ及び前面部６ａの近くの天板部内面に接着固定されている。つまり、当該シャッター開閉部は、天板部５の内面に接着される部分８ａと、当該部分から屈曲された２つの部分８ｂ、８ｃからなり、コ字状をした部分８ｂが、上記カートリッジ１０１の溝１０１ｂに挿合されることでシャッター１０３を開くのに使用される。また、他方の部分８ｃは、ディスク状記録媒体を装置に装着する際のガイド（右側面のガイド）の役目をもっており、カートリッジ１０１の側方に対する押え片８ｄが形成されている。
【００２４】
押えバネ９は、カートリッジを筐体部側に押え付けることで当該カートリッジを付勢するために設けられ、例えば、板バネ等を用いてＴ字状に形成される。そして、天板部５の内面への接着部分９ａが左右方向に延び、これに直交して前後方向に延びる当接部分９ｂが部分的に湾曲した形状とされている。
【００２５】
筐体部２は、図４に示すように、厚みの薄い角箱状をしており（内部機構についての図示は省略している。）、その前面部１０ａのほぼ中央には指かけ用の凹部１１が形成されている。尚、筐体部２の前後方向における長さは、収容部３の前後方向の長さよりも小さくされ、また、筐体部２の左右方向の幅は、収容部３の左右幅よりも一回り小さくされている。
【００２６】
筐体部２の右側面部１０ｂには、前方寄りの位置にイジェクト用の操作摘子１２が付設されており、後述のイジェクト機構を構成している。つまり、当該操作摘子１２を操作することにより、図１の状態でディスク状記録媒体１００をディスク挿脱口４から前方に押し出すことができる構成となっている。
【００２７】
筐体部２と収容部３とを結合するために一対の連結部材（あるいは取付部材）１３Ｒ、１３Ｌが設けられており（図３参照。）、その一方１３Ｒが収容部３の右側面部６ｃの内面にネジ１４、１４、…で取り付けられるとともに、ネジ部材１５、１５を介して筐体部２の右側面部１０ｂに取り付けられる。また、他方１３Ｌが収容部の左側面部６ｄの内面にネジ１４、１４、…で取り付けられるとともに、ネジ部材１５、１５を介して筐体部２の左側面部に取り付けられる。
【００２８】
尚、これら連結部材１３Ｒ、１３Ｌの形状については、左右対称性を有しているので、以下では右用の部材１３Ｒについてのみ説明する（他方の部材１３Ｌについては左用であることの違いを考慮して以下の説明を参照すれば良いので、各部に同じ符号を付すことで説明を省略する。）。
【００２９】
連結部材１３Ｒは、収容部３についてのスライド用のガイド部１６、１７と、両者を繋ぐＬ字状のチャンネル部１８とが金属材料等を用いて一体に形成されている。そして、ガイド部１６、１７には、ほぼフ字状（逆向きのフ字状）をしたガイド孔（あるいはスライド用孔）１９、２０がそれぞれ形成されており、ガイド孔１９については、前後方向に延びる溝部１９ａと、当該部分に連続して斜め方向に延びる溝部１９ｂとからなり、ガイド孔２０については、前後方向に延びる溝部２０ａと、当該部分に連続された幅広の溝部２０ｂとからなっている（図６乃至図１０参照）。尚、これらのガイド孔には、ネジ部材１５、１５（例えば、ガイド孔に係合される部分を除いた先端部にのみネジ部が形成されたもの、あるいは、ネジ部をカーラーに通して当該カーラーがガイド孔に係合されるようにしたもの等）がそれぞれ挿通されるようになっており、挿通後に各ネジ部材が、筐体部２の側面部（右側面部）に形成された螺孔２１、２１（図４参照。）にそれぞれ螺合される。
【００３０】
前側に位置するガイド部１６のうち、チャンネル部１８寄りのところにはＬ字状に屈曲されて形成された突片２２が設けられており、これとは反対側の位置には取付部２３が形成されている。また、後側のガイド部１７にも、その後端部に取付部２４が形成されている。これらの取付部２３、２４は連結部材１３Ｒを収容部３の側面部（右側面部）の内面にネジ固定するために必要とされ、各取付片には、螺孔２３ａ、２４ａがそれぞれ形成されている。つまり、収容部３の右側面部６ｃにおける両端寄りの位置には、各螺孔にそれぞれ対応する取付孔が形成されていて、これらの取付孔に対してネジ部材１４、１４、…を挿通した後、側面部（右側面部）の内側に連結部材１３Ｒを位置させ、各ネジ部材をそれぞれ螺孔２３ａ、２４ａに螺合させることで連結部材１３Ｒが収容部３に取り付けられる。
【００３１】
筐体部２に対する収容部３の移動範囲は、連結部材１３Ｒ、１３Ｌのガイド孔１９、２０とネジ部材１５、１５との係合関係によって規定されるが、収容部３については筐体部２から遠ざける方向に付勢力が常に与えられている。
【００３２】
本例では、収容部３に対して上方（収容部が筐体部から離れる方向）又は上方及び前方に付勢するための一対の付勢手段２５Ｒ、２５Ｌが設けられている。
【００３３】
尚、これら付勢手段を構成する部品の形状については、左右対称性を有しているので、以下では右用の付勢手段２５Ｒについてのみ説明する（他方の付勢手段２５Ｌについては左用であることの違いを考慮して以下の説明を参照すれば良いので、各部に同じ符号を付すことで説明を省略する。）。
【００３４】
付勢手段２５Ｒは、線バネ２６と、当該線バネを中央で保持して筐体部２の側面部（右側面部）に取り付けるためのホルダー部２７を備えている。
【００３５】
線バネ２６については、その中程の部分２６ａがクランク状に屈曲されていて、当該部分からハ字状をなして連続された両端部分については、それぞれの先端部２６ｂ、２６ｂがＣ字状をなすように湾曲されている。
【００３６】
ホルダー部２７は、線バネ２６の部分２６ａを受け入れるために当該部分に対応した形状をもった挿合部２７ａと、当該挿合部を覆うための被覆部２７ｂとから構成されている。尚、挿合部２７ａには、３つの突部２７ｃ、２７ｃ、２７ｃが形成されており、これらの突部の間に形成される溝に線バネ２６の部分２６ａが嵌合された状態で、コ字状チャンネルの被覆部２７ｂを挿合部２７ａに被せてから、図５に示すように、ネジ２８、２８を用いて筐体部２の側面部（右側面部）の中央に取り付けられる。
【００３７】
図６は、収容部、連結部材、付勢手段の関係を主に示すための図であり、筐体部２に対して収容部３が第２の位置に来ている場合の状態を示している。
【００３８】
線バネ２６の両端部２６ｂ、２６ｂのうち、前方に位置するＣ字状の湾曲部分が連結部材１３Ｒや１３Ｌの突片２２及び収容部３の天板部５に当接され、これにより、収容部３には前方（矢印Ｆ参照）及び上方（矢印Ｕ参照）への付勢力が与えられている。また、後方（図の右方）に位置するＣ字状の湾曲部分２６ｂが収容部３の天板部５に当接されることにより、収容部３に上方（矢印Ｕ参照）への付勢力が与えられている。尚、図には、収容部の一方の側面についてのみ示すが、他方の側面についても付勢手段によって同様の付勢力が与えられることは勿論である。
【００３９】
ガイド孔１９、２０の溝部１９ａ、２０ａは、図示するように装置の前後方向に沿って延びており、ネジ部材１５、１５はこれらの溝端（図の右端）で係合された状態となっている。つまり、この場合には、収容部３が付勢力に抗して最も下がった位置（第２の位置）でロックされている。尚、溝部１９ａに比して溝部２０ａの前後方向における長さが短くされている。
【００４０】
そして、溝部１９ｂについては、上記溝部１９ａの一端部から連続されて図６の下方にいくにつれて次第に装置の後方へと変位していって末端へと到達する。他方の溝部２０ｂについては、溝部２０ａに対して下方に連続したほぼ台形状をなしている。
【００４１】
尚、上記したロック状態を解除したときに（本例では、後側のロックが先に解除される。）、収容部３が付勢力に従って移動し、ネジ部材１５、１５が溝部１９ｂ、２０ｂの溝端（最下端）まで来た位置において収容部３が筐体部２に対して最も上がった（離れた）位置（第１の位置）に来る。
【００４２】
図７乃至図１０は収容部の動きについての説明図である。
【００４３】
先ず、図７に示すように、収容部３が閉まった状態（上記第２の位置に相当する。）では、ネジ部材１５、１５がガイド孔１９、２０の溝部１９ａ、２０ａに係合した状態（ロック状態）になっている。尚、この状態では線バネ２６の前端部により、収容部３が前方に付勢されている。
【００４４】
そして、この状態で線バネ２６の力に抗して収容部３を後方に押すと、図８に示すように、収容部３が後退するため、後ろのネジ部材１５が先に溝部２０ａから外れた状態になる。収容部３には線バネ２６の後端部によって持ち上げられようとする力が付勢されているので、図９に示すように、収容部３の後端部だけが上がった状態になる。尚、このとき、後ろのネジ部材１５は溝部２０ｂの下端位置まで来ている。また、図９の状態で収容部３の一部分が筐体部２に接触してその動きに支障を来す虞がある場合には、筐体部２の上面についてその一部に傾斜面（テーパー面）を形成する等の配慮が必要になる。
【００４５】
そして、さらに収容部３を押すと、手前側のネジ部材１５と溝部１９ａとの係合が外れ、図１０に示すように、前側のネジ部材１５が溝部１９ｂの下端まで来て、収容部３が最も持ち上がった状態（上記第１の位置に相当する。）となる。
【００４６】
尚、本例では、収容部を押したときに、その後側部分が一旦持ち上がってから前側部分が上がるような形態としたが、その理由は前側部分が先に持ち上がってしまうと、その時点でユーザーが収容部の押圧を止めてしまう虞があり、その結果、収容部が完全に開ききらないといった不都合が生じ得るのを防止するためである（よって、僅かのタイミングをもって、先に後側の部分のロックが外れるようにすれば良い。）。また、図７の状態では収容部３がロックされており、図１０の状態では、線バネ２６の力だけで収容部３が支えられるようにした理由は、収容部を筐体部側に押すだけて当該収容部を簡単に閉められること、そして、カートリッジが収容部に収容されていない状態で当該収容部に強い外力が加わったときに、図１０の状態で何らかのロック機構を働かせたのでは故障や破損等の危険を伴う虞があることに依る。
【００４７】
収容部３に対し、付勢手段によって筐体部２に近づく方向への付勢力が常に与えられるようにした形態も可能であり、その場合には、収容部が当該付勢力に抗して第１の位置へと移動されたときに収容部がロックされるように構成すれば良い。
【００４８】
この他、筐体部２に対する収容部３の開閉に関する構成例としては、当該収容部を押したときに、その前側部分のみが持ち上がるようにした例として、図１１乃至図１６に示す構成が挙げられる。
【００４９】
前記した構成との相違点だけを箇条書きにすると、下記のようになる。
【００５０】
・図１１や図１３等に示すように、連結部材１３Ｒ、１３Ｌにおいて、後側の取付部２４には角孔２９が形成されており、これにネジ部材１５が挿通されて筐体部２の側面に各連結部材がそれぞれ取り付けられること
・図１２や図１３等に示すように、線バネ２６の両端部のうち、前側の先端部２６ｂについてはＣ字状をなしていて、当該部分によって連結部材１３Ｒ、１３Ｌが前方（図１３の矢印Ｆ参照）及び上方（図１３の矢印Ｕ参照）への付勢力を受けていること。つまり、ガイド孔１９の後方に設けられた突片２２や、その上方の設けられる突片３０に線バネ２６の端部２６ｂが当接していること
・図１２や図１３等に示すように、線バネ２６の両端部のうち、後側部分２６ｃについては湾曲されて、チャンネル部１８の屈曲部１８ａに当接されていること。つまり、当該部分２６ｃによって連結部材１３Ｒ、１３Ｌには、下方への付勢力（図１３の矢印Ｄを参照。）を受けていること。
【００５１】
尚、線バネ２６の後側部分２６ｃによって連結部材１３Ｒ、１３Ｌ及び収容部３には、筐体部２に対してこれらを閉じる方向への力が働いており、従って、収容部自身がカートリッジを下方に押えつける作用をもっっており、結果的には後側部分２６ｃがカートリッジの押えバネと等価な機能を有している。但し、収容部３の手前側部分については、上記したように収容部が開く方向への力が働いているので、図１１に示すように、カートリッジの押えバネ９Ａを、収容部３における前寄りの内側に付設する必要がある。
【００５２】
図１３乃至図１６は収容部の動きについての説明図である。
【００５３】
先ず、図１３に示すように、収容部が閉まった状態（上記第２の位置に相当する。）では、ネジ部材１５がガイド孔１９の溝部１９ａに係合した状態（ロック状態）になっている。尚、この状態では線バネ２６の前端部２６ｂにより、収容部３が前方に付勢されている。
【００５４】
そして、この状態で線バネ２６の力に抗して収容部３を後方に押すと、図１４に示すように、収容部が後退するため、前方に位置するネジ部材１５が、溝部１９ａから外れた状態になる。収容部３の前部には線バネ２６の先端部２６ｂによって持ち上げられようとする力が付勢されているので、手前側のロックが外れると、図１５に示すように、収容部３の前側部分が上がった状態になる。
【００５５】
この状態では、収容部３と筐体部２との間にディスク挿脱口が形成されることになるので、ここからカートリッジを挿入することにより、収容部３の後側部分が持ち上がって、図１６に示すようになる。つまり、この時には、手前側のネジ部材１５が溝部１９ｂの下端まで来ていて、これを中心として収容部３が回動することになり、回動後には、最終的に収容部３が最も持ち上がった状態（上記第１の位置に相当する。）となる。尚、角孔２９の孔形状をガイド孔１９と同様にフ字状としないのは、収容部３の後側部分をロックする必要がないこと及び溝部を大きく開けておいた方が収容部３の動きに支障が少なくて済む等の理由に依る。
【００５６】
ところで、収容部３が第２の位置に来る場合に、収容部３の内面に取り付けられたシャッター開閉部８が筐体部２のシャーシと干渉しないための配慮が必要である。
【００５７】
そこで、例えば、図４に示すように、筐体部のシャーシ３１において、その上面部３１ａに逃げ孔３２、３３を形成する。つまり、これらの逃げ孔は筐体部２の右側面部寄りに位置されて装置の前後方向に延びており、一方の逃げ孔３２がシャッター開閉部８の部分８ｂに対応した位置に形成され、他方の逃げ孔３３がシャッター開閉部８の部分８ｃに対応した位置に形成されている。つまり、収容部３が第２の位置にスライドされた場合に、シャッター開閉部８の各部分８ｂ、８ｃがそれぞれ逃げ孔３２、３３を通して筐体部内に収容される構成を用いることでシャッター開閉部８とシャーシ上面部との干渉（当接や接触）が回避される。このように、シャッター開閉機構の全体又は当該機構を構成する部材が収容部とともに筐体部側に移動された場合に、これらが逃げ孔や切欠等を通して筐体部内に収納されるように構成することが好ましい。尚、このことは、収容部３に固定される押えバネについても同様であり、例えば、図３に示す押えバネ９の当接部分９ｂに対しては、シャーシ３１の上面部３１ａに形成されたターンテーブルに対する半円形状の切欠３１ｓ（図４参照）が逃げ穴としても機能する（後述するように第２の位置では、ターンテーブルやヘッド部等が傾動されて筐体部内に収容された状態になる。）。また、図１１に示す押えバネ９Ａについては、これが収容部３とともに筐体部側に下降する場合に、ターンテーブルやシャーシ等に対して干渉しないよう逃げ穴３４の形成を考慮すべきである。
【００５８】
また、筐体部のシャーシには、回転駆動部やヘッド部等を含む機構が設けられているが、それらの中には、その一部がシャーシの上面部よりもさらに上方に突出した状態で使用される要素（ターンテーブルや対物レンズ等）があるため、ディスク状記録媒体を装置に装着する際に、これらの要素と干渉しないようにすること、また、ディスク状記録媒体を装置から取り出す際にも当該要素が支障を来さないようにすることが必要である。
【００５９】
そこで、ターンテーブル又はヘッド部あるいは両者を、筐体部のシャーシに対して移動可能な状態で支持するとともに、下記に示す構成を採用する。
【００６０】
（Ａ）収容部が第２の位置に来ている場合であって、ディスク挿脱口からディスク状記録媒体を挿入する時及び当該ディスク状記録媒体を排出する時には、ターンテーブル又はヘッド部を収容部から離間する方向に移動させて退避させる。
【００６１】
（Ｂ）ディスク挿脱口からディスク状記録媒体を挿入して、収容部と筐体部との間に画成される空間内に当該記録媒体を収容した後では、上記（Ａ）の退避状態を解除し、ターンテーブル又はヘッド部を当該ディスク状記録媒体に近づく方向へと移動させ、ターンテーブル上にディスク状記録媒体を載置させ又はヘッド部を当該ディスク状記録媒体に対向させた状態にする。
【００６２】
つまり、（Ａ）はターンテーブルやヘッド部がディスク状記録媒体の装着及び排出を妨げないようにするための要件であり、他方（Ｂ）は、ディスク状記録媒体を装着後に回転させて情報再生や記録を行うための要件である。
【００６３】
図１７乃至図２６はそのような構成例を示したものである。
【００６４】
図１７は筐体部の部分的に分解してその要部を示したものであり、回転駆動部及びヘッド部を備えたシャーシ３１と、当該シャーシの側面に取り付けられるスライド板等を示している。また、図１８は筐体部のシャーシ（所謂メカシャーシであり、図には二点鎖線で示す。）とこれに設けられた機構の要部を示したものであり、上記した凹部１１が形成された部分が前部である。
【００６５】
回転駆動部３５は、収容部３が第１の位置に来た状態で筐体部２との間に形成されるディスク挿脱口から挿入されたディスク状記録媒体を装着して回転させるためのターンテーブル（あるいはディスクテーブル）３６と、その駆動源であるスピンドルモータ３７を備えている。
【００６６】
また、ヘッド部３８について、本例では、光学ヘッド装置（所謂光学ピックアップ装置）の構成とされており（本発明については、勿論、磁気ヘッドを備えた装置等への適用が可能である。）、２軸アクチュエータ３９を搭載した移動ベース４０と、当該移動ベースをディスク状記録媒体のディスク半径方向に沿って移動させるための送り機構（所謂スレッド機構）４１（図１８参照）を備えている。
【００６７】
そして、図示のように、ターンテーブル３６及びスピンドルモータ３７が支持枠（あるいは保持枠）４２内に取り付けられており、また、移動ベース４０が支持枠（傾動枠）４３内に取り付けられている。
【００６８】
送り機構４１については、シャーシ３１に固定された２つの軸受部材４４、４４に亘って、送り軸４５が回転自在に支持されており、当該送り軸には螺溝が形成されている。尚、送り軸は、支持枠４３及び移動ベース４０の一端部に挿通された状態とされる。
【００６９】
送り軸４５の一端（左端）寄りの位置には、ウォーム４６が設けられていて、当該ウォームはウォームホイール４７と噛合されている。そして、シャーシ３１の下面（内面）側に設けられた駆動モータ４８によって回転される駆動ギヤ４９から、ギヤ５０に駆動力が伝達され、当該ギヤ５０と一体に形成されているウォームホイール４７を介してウォーム４６が回転され、これにより送り軸４５がその軸回り方向へ回転されるようになっている。尚、周知のように（図示は省略する。）、移動ベース４０の裏側には、バネ部材が取り付けられていて、これに形成された係合部が送り軸４５の螺溝に係合されているので、送り軸４５の回転に伴って移動ベース４０が移動する。
【００７０】
送り軸４５には、支持枠４３が回動可能な状態で支持されており、当該支持枠には所定方向（ディスク状記録媒体に近づく方向）への付勢力が与えられている。
【００７１】
図１９はそのような一例について要部の構成を示したものである。
【００７２】
ターンテーブル３６やヘッド部３８をディスク状記録媒体に近づける方向に付勢力を与えるための付勢手段５１として、本例では、トグルバネ５２を使っており、当該バネ５２は送り軸４５に挿通されたコイル部５２ａと、当該コイル部から互いに反対方向に延びる線状部５２ｂ、５２ｃからなる。そして、線状部の一方５２ｂが、支持枠４３の側面に形成されたバネ受け部５３に固定され、線状部の他方５２ｃは、シャーシに設けられたバネ受け部（図示せず。）に固定されていて、図に矢印Ｕで示すように、支持枠４３に対して上方への付勢力を与えている。
【００７３】
尚、このような機構は、支持枠４３に係る左右のガタツキを防止する役目も備えており、当該機構を、送り軸４５における支持枠４３の両脇にそれぞれ付設しても良いし、支持枠の片側（支持枠の右又は左側のみ）に付設しても良い。
【００７４】
また、支持枠４３に係る上限の位置規制については、例えば、図１８に示すように、支持枠４３のうち、送り軸４５から離れた回動端側の部分（前端部）４３Ｆには適当な間隔をおいて位置出し用の突部５４、５４が設けられていて、これらの突部がシャーシ（上面部３１ａの裏面）に突き当てられることで、支持枠４３がそれ以上回動されないように規制されている。
【００７５】
支持枠４３の前端部４３Ｆには、左右方向に延びるガイド突条５５（図１８、図２２参照）が形成されており、当該突条は後方に突出している。
【００７６】
２軸アクチュエータ３９を搭載した移動ベース４０の前端部には上下に離間した一対の係合片を有する摺動部４０ａ（図１７、図１８参照）が設けられており、該摺動部４０ａが上記ガイド突条５５に摺動自在に係合されている。そして、上記のように、移動ベース４０の後端部が送り軸４５の螺軸部に螺合されていて、送り軸４５が回転されるに伴い、摺動部４０ａがガイド突条５５に案内されながら移動ベース４０が支持枠４３の中で移動される。
【００７７】
尚、支持枠４３の左側面部には、スピンドルモータ３７の側面形状（円筒形状）に対応した円弧状の逃げ凹部５６（図１７、図１８参照）が形成されているが、これは、スピンドルモータ３７の支持枠４２を移動ベース４０の支持枠４３の側面に取り付ける場合に、モータとの干渉を回避するためであり、同様の理由で、移動ベース４０にも同様の逃げ凹部５７が形成されている。
【００７８】
スピンドルモータ３７の回転軸に取り付けられたターンテーブル３６の中央部には、センタリング部が設けられ、これには図示しないマグネットが埋設されている。
【００７９】
スピンドルモータ３７の支持枠４２は、コ字状をした支持部材５８を構成する２つの支持アーム５９、５９と、支持枠４３の左側面部のうち上記逃げ凹部５６が形成された部分とにより構成されており、モータ等がこれらによって取り囲まれた状態で支持されている。
【００８０】
例えば、図２０に示すように、スピンドルモータ３７が保持ベース６０に取り付けられており、当該ベースには、支持アーム５９、５９への取付部６１、６１が立設されており、両者はモータ軸を挟んで互いに反対側に位置されている。尚、保持ベース６０には、モータ軸を中心とした３点の位置出し用のピン６２、６２、６２が立設されており（上方から見て３角形の各頂点位置にそれぞれのピンが配置されている。）、スピンドルモータを保持ベース６０にネジ等で固定した状態において、当該モータの側面脇からこれら３つのピンがモータ軸に沿う方向に突出している。これらのピンは、支持枠４２の傾動時（前端部４３Ｆの上昇時）にシャーシ３１の上面部３１ａの裏面に突き当てて位置出しを行うために付設されている。
【００８１】
支持アーム５９、５９は、両者を繋ぐ連結部５８ａに一体的に形成されることで支持部材５８を構成しており、各アームの外側面には、２つの係合ピン６３、６４（図には一方のアームについてのみ示す。）が立設されている。その一方の係合ピン６３は、支持アーム５９の一端部において、連結部５８ａの中心軸に沿うようにして外方に突設されていて、軸支部６５を用いてそれぞれシャーシ３１に取り付けられる（つまり、支持部材５８はシャーシ３１に対して回動可能な状態で支持される。）。また、他方の係合ピン６４については、支持アーム５９の他端（回動端）に形成された取付孔６６、６６の近く（取付孔６６よりも係合ピン６３側に寄った位置）において外方に突設されている。尚、取付孔６６、６６には、ネジ部材６７、６７がそれぞれ挿通され、これらネジ部材が上記保持ベースの取付部６１、６１に形成された螺孔にそれぞれ螺合されることで、保持ベース６０が支持部材５８に取り付けられるようになっている。
【００８２】
移動ベース４０の支持枠４３には、上記逃げ凹部５６の脇から一方（前側）の支持アーム５９に向かって突設された支持部６８が一体に形成されており、当該支持部６８に形成された長孔６８ａに、上記係合ピン６４が挿通されている。
【００８３】
このように、ヘッド部３８を構成する移動ベース４０の支持枠４３と、ターンテーブル３６及びスピンドルモータ３７の支持枠４２とが連結された構造を備えており、両支持枠が連動して傾動される。つまり、送り軸４５を中心とする支持枠４３の傾動に伴って、支持枠４２も傾動する。例えば、支持枠４３が傾動してその前端部４３Ｆが下降した場合には、それにつれて支持枠４２が傾動してスピンドルモータ３７が下降する。但し、その際、注意すべきことは、支持枠４３に対する支持枠４２の高さが状況に応じてそれぞれ異なることである。そのため、図２１に示すように（矢印で示すように上図が支持枠４２の上昇時、下図が支持枠４２の下方への傾動時を示す。）、支持部６８に形成された長孔６８ａとピン６４については、単なる係合関係でなく、長孔６８ａの内面に形成される円筒面（図では円弧面）と、ピン６４（の側面）とが点接触の関係とされ、これにより支持枠４３の姿勢変化に追従することができるように配慮がなされている。
【００８４】
移動ベース４０の支持枠４３に連動する部材には、この他、ディスク状記録媒体に対する位置決めピン６９が挙げられ、例えば、リンク機構（図１８参照）が用いられている。つまり、ディスク状記録媒体の装置への挿入や排出に際して、位置決めピン６９との干渉等を回避するための機構を設けることが好ましく、本例では、２つのリンク部材７０、７１のうち、その一方の部材７０がシャーシ３１の前面部の内側に取り付けられ、他方の部材７１がシャーシ３１の右側面部の内側に取り付けられており、部材７１が支持枠４３と部材７０を仲介している。
【００８５】
例えば、図２２に示すように、リンク部材７１については、その中央部に挿通孔７１ａが形成されており、これにネジ部材７２を挿通してシャーシ右側面部に取り付けたときに当該挿通孔を中心に回動自在な状態でシャーシ３１に支持される。そして、２つの腕部７３、７４には、コ字状をなした溝７３ａ、７４ａがそれぞれ形成されており、その一方、腕部７３の溝７３ａが、支持枠４３の前端部４３Ｆの右端から前方に突出された係合ピン７５に係合された状態となっている。
【００８６】
他方のリンク部材７０については、その中央部に挿通孔７０ａが形成されており、これにネジ部材７６を挿通してシャーシ３１の前面部に取り付けたときに当該挿通孔を中心に回動自在な状態でシャーシ３１に支持される。そして、一方の腕部７７には係合ピン７８が突設されていて、これが上記リンク部材７１の腕部７４に形成された溝７４ａに係合された状態となっている。また、他方の腕部７９には平板部８０が一体に形成されていて、これには位置決めピン６９が突設されている。
【００８７】
従って、例えば、移動ベース４０の支持枠４３が傾動して、その前端部４３Ｆが下降（上昇）すると、リンク部材７１の腕部７３が下（上）がり、他方の腕部７４が上（下）がるために、リンク部材７０の腕部７７が上（下）げられる結果、位置決めピン６９の（高さ）位置は下（上）がることになる。尚、上昇した位置決めピン６９は、シャーシ３１に形成された挿通孔３１ｔ（図４参照）を介して上方に突出される。
【００８８】
以上のように、支持枠４３、４２や位置決めピン６９が連動して退避位置へと移動され、あるいは退避状態の解除動作が連動して行われる。
【００８９】
支持枠４３において、右後端部には後斜め下方へ突出された被ロック部８１（図１８、図２３参照）が設けられており、当該被ロック部８１に対するロック部８２（ターンテーブル又はヘッド部をディスク状記録媒体から離間した位置で保持するために支持枠を退避位置でロックするのに必要とされる。）を備えたイジェクト部８３がその近くに配置されてシャーシに固定されている。
【００９０】
イジェクト部８３は、ディスク状記録媒体を装置から排出するためのイジェクト機構の一部を構成しており、例えば、図２３に示すように回動レバー８４、イジェクトアーム（あるいはイジェクト部材）８５や複数のコイルバネや取付用のネジ部材から構成される。
【００９１】
金属材料等を用いて形成される回動レバー８４は、平坦部８４ａと、Ｌ字状に屈曲された屈曲部８４ｂとを有している。平坦部８４ａのうち、その一端寄りの位置の挿通孔８６が形成されており、当該挿通孔にネジ部材８７を通して回動レバー８４がシャーシ３１の上面部３１ａに取り付けられ、この状態ではネジ部材８７を中心に回動可能な状態で支持される。尚、挿通孔８６から少し離れた位置には、バネ掛け部８８が平坦部８４ａの端からＬ字状に屈曲されて形成されており、コイルバネ８９の一端が当該バネ掛け部に引っ掛けられていて、当該コイルバネの他端は、シャーシ３１に形成されたバネ掛け用の孔（図示せず。）に引っ掛けられている。これにより、回動レバー８４には、常に一定方向（回動レバー８４が支持枠４３の被ロック部８１に近づく方向）への付勢力が与えられている。
【００９２】
そして、回動レバー８４の他端においてコ字状をなした部分の前側（上記被ロック部８１に近い側）の部分が上記ロック部８２とされ、当該ロック部と平坦部８４ａとに跨がるようにロック孔９０が形成されている。また、このロック孔９０の近くには、回動レバー８４の平坦部８４ａ及び当該部分と屈曲部８４ｂとの境界付近にかけて所定の幅をもった挿通用の長孔９１が形成されている。
【００９３】
イジェクトアーム８５には、台形状をした作用部８５ａが一体に形成されており、この部分が上記の長孔９１に挿通されてシャーシ３１の挿通孔９２（図１７参照。）から上方に突出された状態になる。尚、作用部８５ａは、収容状態のディスク状記録媒体をディスク挿脱口から排出する方向に向けて押し出す役割を有する。また、イジェクトアーム８５には、その一端寄りの位置に挿通孔８５ｂが形成されており、回動レバー８４の屈曲部８４ｂには当該挿通孔に対応した螺孔９３が形成されているので、ネジ部材９４を挿通孔８５ｂに通して螺孔９３に螺合させることでイジェクトアーム８５が回動レバー８４の屈曲部８４ｂに対して回動可能な状態で取り付けられる。そして、イジェクトアーム８５の回動端部寄りの位置には、バネ掛け用孔８５ｃが形成され、他方、平坦部８４ａにおける長孔９１の近くにも、同様のバネ掛け用孔９５が形成されており、これらの孔８５ｃ、９５にコイルバネ９６が架け渡されている。つまり、イジェクトアーム８５には、長孔９１を通してシャーシの上方に作用部８５ａを突出させるための付勢力が常に働いている。そして、収容部３が上記第２の位置に来たときに当該収容部によってイジェクトアーム８５が回動されて筐体部内に収納された状態となるので、イジェクトアームが収容部３の下降を妨げることはない。即ち、イジェクト機構を構成する部材が移動されて筐体部内に収納できるように構成するか、又はイジェクト機構全体が筐体部内に収納できるように構成することが好ましい。
【００９４】
尚、図１７に示すシャーシ３１上において、イジェクト部８３の近くには、僅かな高さのガイド用突部９７が形成されており、これはディスク状記録媒体のカートリッジに対する位置決めに用いられる。即ち、図２４に示すように、ディスク状記録媒体の装着時に、カートリッジ１０１の後端部がガイド用突部９７を一旦乗り上げてから、当該ガイド用突部がカートリッジ１０１の被係合部１０４に嵌合されて位置決めがなされる。この他、図２５に示すように、Ｔ字状の板バネ９７Ａをシャーシ３１の上面部３１ａに取り付けるとともに、板バネ９７Ａの端部にカートリッジの被係合部１０４に対する係合部９７Ｂを設け、その周囲のシャーシ部分を切り欠いて逃げ孔３１Ｄを形成した構成を用いても良い。この例では、ディスク状記録媒体の装着時において、図示するようにカートリッジ１０１により板バネ９７Ａの端部が撓んでシャーシ面よりも下がってから係合部９７Ｂがカートリッジ１０１の被係合部１０４に嵌合されるので、ガイド用突部９７の場合のようにカートリッジが一時的に浮き上がることはなくなる。
【００９５】
移動ベース４０の支持枠４３を構成する右側面部において、図１７、図１８に示すように、その前後方向における略中央部には、前後に離間して第１の作用軸４３ａと第２の作用軸４３ｂとが側方（右方）へ突設されている。そして、第１の作用軸４３ａ及び第２の作用軸４３ｂは、図１８に示すように、シャーシ３１の右側面部に形成された切欠３１ｂを通してシャーシ３１の側面から外方に臨んでいる。
【００９６】
スライド板９８はイジェクト機構の一部を構成しており、シャーシ３１の右側面部に対して前後方向に摺動可能な状態で取り付けられる。即ち、スライド板９８には、長手方向に延びる２つの長孔９８ａ、９８ａが形成されており、これらの長孔に取付ネジ９９、９９をそれぞれ通してシャーシ３１の右側面部に取り付けられるようになっているので、当該スライド板はシャーシ３１に対して前後方向に摺動させることができる。このスライド板９８の中程の内側面には、図２６に示すように、上記した第１の作用軸４３ａが係合されてこれを支えるためのＬ字状の支持部９８ｂと、ディスク状記録媒体の排出時（イジェクト時）において第２の作用軸４３ｂを下げる働きをする斜面部９８ｃが形成されている。尚、図１７に示すように、スライド板９８の後端部にはバネ掛け部９８ｄが形成されており、これにコイルバネ９８ｅの一端が係合され、当該コイルバネの他端がシャーシ３１の右側面部に形成されたバネ掛け部３１ｃに係合されており、スライド板９８には常に前方への付勢力が働いている。また、スライド板９８の一端部（前端部）には操作摘子１２が形成されており、スライド板９８が取り付けられた状態のシャーシ３１を筐体部２の外筐２Ａに収納した状態では、当該摘子１２が外筐２Ａの右側面部に形成された長孔２Ｃに嵌められて外部に臨んでいるので、当該長孔２Ｃの形成範囲内で操作摘子１２を動かすことができる。
【００９７】
図２７乃至図３１は、ディスク状記録媒体の挿入時及び排出時の動作について概要を説明するためのものである。
【００９８】
先ず、ディスクカートリッジ１０１が挿入される前の状態について説明すると、図２７に示すように、移動ベース４０の支持枠４３は、その前端部４３Ｆが下方へ移動されることで傾動されており、位置決めピン６９や、ターンテーブル３６、ヘッド部３８が、ディスク挿脱口４から挿入されるディスクカートリッジ１０１と干渉しない退避位置にある。即ち、支持枠４３の前端部４３Ｆの下降に伴って、支持枠４２が回動されてターンテーブル３６及びスピンドルモータ３７が下降した状態になっており、位置決めピン６９については、支持枠４３の前端部４３Ｆが下がっているので、リンク部材７１を介して最も下がった状態になっている。尚、スピンドルモータ３７ついては、支持枠４３の前側部分の下降に伴って支持部６８により支持枠４２が最も傾動された状態となっている。例えば、退避位置では、図３３に示すように、保持ベース６０が筐体部２の底面上に載置された状態で保持されている。
【００９９】
この退避位置においては、イジェクト部８３の回動レバー８４がコイルバネ８９の付勢力によって回動されて、イジェクト部８３におけるロック部８２のロック孔９０に、支持枠４３の被ロック部８１が挿合されてロックされている。つまり、この位置では支持枠４３が傾いたままの状態で保持される。尚、移動ベース４０の支持枠４３が退避位置にある状態において、第１の作用軸４３ａ及び第２の作用軸４３ｂは最も下降した位置にある。
【０１００】
カートリッジ１０１がディスク挿脱口４から挿入されていく場合において、当該カートリッジの左右方向の端部については、連結部材１３Ｌ及びシャッター開閉部８の部分８ｃにより案内され、また、カートリッジ１０１の上下方向（厚さ方向）の端部については、収容部３の天板部５及びシャーシ３１の上面部３１ａに案内される（カートリッジ１０１のディスク挿脱口４からの排出時においても、同様に、当該カートリッジが連結部材１３Ｌやシャッター開閉部８の部分８ｃ等によって案内される。）。
【０１０１】
尚、ディスクカートリッジ１０１が挿入されていくときには、支持枠４２や４３が退避位置にあるため、位置決めピン６９、ターンテーブル３６及びヘッド部３８の対物レンズ等がカートリッジ１０１と接触することがない。従って、カートリッジ１０１を円滑に装置内に挿入することができる。
【０１０２】
カートリッジ１０１が挿入されていくときに、収容部３のシャッター開閉部８によってシャッター１０３がスライドされ、これによってアクセス用孔１０１ａが開放されてディスク１０２の一部が外部に露出した状態になる。
【０１０３】
カートリッジ１０１が所定の位置まで挿入されると、図２８に示すように、その後端面によってイジェクト部８３のイジェクトアーム８５が後方に押圧されていく。これに伴って、回動レバー８４も、コイルバネ８９の付勢力に抗して後側に回動され、ロック解除位置に至る（図２９参照）。このロック解除位置では、ロック部８２が支持枠４３の被ロック部８１の後端より後側に達すると、ロック孔９０による、被ロック部８１に対するロックが解除されるので、支持枠４３は付勢手段５１の力によって送り軸４５の回りに回動されて支持枠の前端部４３Ｆが上昇する。つまり、そのまでの退避位置から、支持枠４３がほぼ水平とされる再生可能位置（あるいは記録可能位置）へ向けて送り軸４５を支点として支持枠４３が回動されていく。そして、支持枠４３は、その前端部４３Ｆに形成された位置決め用の突部５４、５４がシャーシ３１の上面部３１ａに裏面から当接することにより回動を規制されて定位置（再生可能位置）に保持される（図３０参照）。
【０１０４】
支持枠４３が再生可能位置に達する間に、当該支持枠の係合ピン７５の位置（高さ）が次第に高くなり、これに伴ってリンク部材７１を介してリンク部材７０の位置決めピン６９が上方に持ち上げられていく。そして、当該位置決めピン６９がシャーシ３１の挿通孔３１ｔを通して上面部３１ａから上方へ突出されると、これがカートリッジ１０１に形成された図示しない位置決め孔に嵌合されてカートリッジ１０１のシャーシ３１に対する位置決めが為される（図３０参照）。
【０１０５】
支持枠４３が再生可能位置へと回動され、その前端部４３Ｆが持ち上げられるにつれて、スピンドルモータ３７の支持枠４２がこれに伴って回動（傾動）される。例えば、図３２に示すように、保持ベース６０に立設された３つの突起６２、６２、６２がシャーシ３１の上面部３１ａに裏面側から当接した状態となって、支持枠４２のそれ以上の回動が規制されるとともに、スピンドルモータ３７の姿勢が水平状態に規定される。尚、再生可能位置においては、ターンテーブル３６がシャーシ３１の上面部３１ａから上方へ突出されることになるが、当該位置に来る間に、ターンテーブル３６によってディスク１０２のチャッキングが完了する。つまり、ターンテーブル３６がカートリッジ１０１の開口部から挿入されて、ディスク１０２がターンテーブル３６によって押し上げられるので、当該ディスクが下ハーフから離間される。そして、ターンテーブル３６に設けられた吸着用マグネットによって（クランピング）プレートが吸着されてディスク１０２に対するチャッキングが為され、当該ディスクがターンテーブル３６に載置されて回転可能な状態となる。尚、このとき、カートリッジ１０１のアクセス用孔１０１ａに、ヘッド部３８の２軸アクチュエータ３９が部分的に挿入された状態になる。
【０１０６】
尚、支持枠４３が再生可能位置へ向けて回動されると、作用軸４３ａ、４３ｂが略上方へ移動された後、第１の作用軸４３ａは、スライド板９８の支持部９８ｂに係合されて支持される。従って、支持枠４３はこの状態で、再生可能位置にロックされる。また、イジェクト部８３の回動レバー８４については、支持枠４３の被ロック部８１がロック部８２に当接された状態になっていて、それ以上の回動がなされないように規制されている。
【０１０７】
支持枠４３が再生可能位置でロックされると共に、上記のようにディスク１０２がターンテーブル３６上に装着されると、その回転に伴ってディスク１０２が回転され、２軸アクチュエータ３９の対物レンズを介してレーザー光がディスク１０２に照射され、例えば、その記録情報が再生される。
【０１０８】
そして、ディスク１０２に対する再生動作が終了し、筐体部２の側面に設けられた操作摘子１２を後方へスライドさせると、カートリッジ１０１の排出動作が為される。
【０１０９】
操作摘子１２を後方にスライド操作すると、コイルバネ９８ｅの力に抗して当該スライド板９８が後退し（図２６の矢印Ｒを参照。）、その支持部９８ｂによる第１の作用軸４３ａに対する係止状態が解除される。スライド板９８の移動によって支持枠４３の第２の作用軸４３ｂが斜面部９８ｃによって略下方へ移動するように押圧されるので、支持枠４３が付勢手段５１の力に抗して再生可能位置から退避位置へ向けて送り軸４５を回動支点として傾動されていく。
【０１１０】
支持枠４３が退避位置へ向けて回動（傾動）されると、これに連続して支持枠４２も傾動され、ターンテーブル３６によるディスク１０２に対するチャッキングが解除されると共に、支持枠４３の係合ピン７５の下降により、カートリッジ１０１に対する位置決めピン６９の位置決め状態が解除される。
【０１１１】
支持枠４３の傾動により被ロック部８１が上昇し、回動レバー８４に対する回動規制が解除されると、回動レバー８４がイジェクトアーム８５とともに、前方に回動される。つまり、イジェクトアーム８５が上記ロック解除位置からロック位置に向けて回動され、当該アームの作用部８５ａがカートリッジ１０１の後端面を前方に押し出す（これにより、カートリッジの一部がディスク挿脱口から排出された状態になる。）。
【０１１２】
イジェクトアーム８５及び回動レバー８４がロック位置へ来ると、回動レバー８４のロック孔９０によって退避位置にある支持枠４３の被ロック部８１が再びロックされる（図３１参照）。
【０１１３】
尚、カートリッジ１０１の排出時には、収容部３に付設されたシャッター開閉部８によりシャッター１０３がスライドされ、カートリッジ１０１に形成されたアクセス用孔１０１ａが閉塞される。
【０１１４】
このようにカートリッジ１０１が排出されていくときにおいても、当該カートリッジの挿入時と同様に、支持枠４２、４３が退避位置にあるため、位置決めピン６９、ターンテーブル３６及びヘッド部３８がカートリッジ１０１と接触するといった干渉の問題がなく、カートリッジ１０１をディスク挿脱口４から円滑に装置外に排出することができる。
【０１１５】
以上に説明したディスク装置にあっては、収容部を構成する収容部がディスクホルダーの機能を兼ねており、ディスクカートリッジを使用しない場合には、収容部を閉じてディスク挿脱口が形成されない状態とすることで、装置の厚みを飛躍的に薄くすることができる。また、カートリッジの挿入時及び排出時に当該カートリッジを一方向にのみ移動させるだけで良いので、機構が複雑とならず、その分、コストの低減を図ることができる。
【０１１６】
また、ディスク装置１にあっては、移動ベース４０の送り軸４５を支点として支持枠４３を回動させているため、ウォームホイール及び駆動モータを含む駆動機構を移動させる必要がなくヘッド部３８に関する位置精度が高いと共にヘッド部を回動させるために専用の回動支軸を設ける必要がなく、従って、製造コストを低減できる。
【０１１７】
尚、上記のディスク装置１では、支持枠４３の側面に対して支持枠４２含む回動機構を設けた例を示したが、これによって回動時にターンテーブル３６のシャーシ３１に対する角度を一定化でき、該ターンテーブルによるディスク状記録媒体の装着を精度良く適正に行うことができるという利点や、ターンテーブル３６が傾斜しない分、退避位置においてターンテーブル３６が傾斜した状態で保持される場合に比し、ターンテーブル３６の移動ストロークを小さくすることができ、これにより装置について一層の小型化を実現できるといった利点が得られる。
【０１１８】
図３４乃至図４０は、本発明に係る別の構成例を示したものであり、本ディスク装置１Ａについて上記した装置との相違点は下記の通りである。
【０１１９】
・収容部３と筐体部２を連結する連結部材１３Ｌ、１３Ｒについて、図３４、図３５に示すように、コ字状をしたガイド孔１９Ａ、２０Ａが所定の間隔をもって形成されており、ネジ部材１５、１５がこれらのガイド孔に通されて筐体部２の側面に取り付けられること。尚、これらのネジ部材１５、１５はカーラー１５Ａ、１５Ａに挿通されていて、これらのカーラーがガイド孔１９Ａ、２０Ａにそれぞれ係合されること。
【０１２０】
・図３６に示すように、ターンテーブル３６及びスピンドルモータ３７が、移動ベース４０の支持枠４３に取り付けられており、これらがヘッド部３８と一体となってシャーシ３１に対して傾動される構成となっていること。つまり、前記した構成例では、ヘッド部の傾動に伴ってターンテーブル及びスピンドルモータの支持枠が連動して傾動されることにより、ターンテーブルがヘッド部とともにディスク状記録媒体に対して傾動されたが、本例では、ターンテーブル及びヘッド部の支持枠が傾動されることで、両者がともにディスク状記録媒体に対して傾動される。よって、ターンテーブルとヘッド部との間の適正な位置精度を維持することができ、再生動作の適正化を図ることができるという利点が得られる。また、ターンテーブルとヘッド部を傾動させるための機構が簡易かつ小型になるといった利点がある。
【０１２１】
・ディスクカートリッジに対するイジェクトアーム８５Ａについて上下動を可能にするための機構が設けられていること（図３７、図３８参照）。
【０１２２】
尚、ディスク装置１Ａにおいて、装置１の構成要素と同様の機能を有するものについては、当該要素に付した符号と同じ符号を用いることにより、その詳細な説明を省略する。
【０１２３】
筐体部２に対する収容部３の取り付け構造については、図３４に示すように、２つの連結部材１３Ｌ、１３Ｒを用いて収容部３が筐体部２に対してスライド可能な状態で支持される。つまり、連結部材１３Ｒについては、その取付部２３、２４がネジ１４、１４によって収容部３の右側面部６ｃの内面に取り付けられ、また、連結部材１３Ｌについては、その取付部２３、２４がネジ１４、１４によって収容部３の左側面部６ｄの内面に取り付けられる。そして、上記したように、各連結部材には、後方を向いたコ字状のガイド孔１９Ａ、２０Ａがそれぞれ形成されており、その一方１９Ａが取付部２３の近くに形成され、他方２０Ａが取付部２４の近くに形成されている。これらのガイド孔にネジ部材１５、１５及びカーラー１５Ａ、１５Ａを挿通させてから筐体部２の側面に形成された螺孔２１、２１、…にネジ留めすることで連結部材１３Ｒ、１３Ｌが筐体部２にそれぞれ取り付けられる。
【０１２４】
尚、ネジ部材１５及びカーラー１５Ａがガイド孔１９Ａ、２０Ａの溝部の上縁に係合されたときに、収容部３が閉じられた状態になり、また、ネジ部材１５及びカーラー１５Ａがガイド孔１９Ａ、２０Ａの溝部の下縁に係合されたときに、収容部３が筐体部２から持ち上がった状態となり両者の間ディスク挿脱口が形成されることになる。
【０１２５】
ディスクの押えバネ９については収容部３に取り付けられており、また、シャッター開閉部等については、装置１の場合と同様に収容部に付設するか、連結部材に付設する等、各種の態様が可能である。
【０１２６】
図３６に示すように、シャーシ３１の上面部３１ａの左右両端寄りの場所には、軸受部材４４、４４が取り付けられており、両部材の間には、送り軸４５が回転自在に支持され、その一部が螺軸部として形成されている。
【０１２７】
送り軸４５の左端寄りの位置には、ウォーム４６が設けられており、該ウォーム４６はウォームホイール４７、駆動モーター４８を含む駆動機構により回転され、これにより送り軸４５が軸回り方向に回転される。
【０１２８】
送り軸４５には支持枠（あるいは保持部材）４３がシャーシ３１に対して回動自在に支持され、該支持枠４３はシャーシ３１の配置孔３１ｇ内に位置されている。尚、支持枠４３については、スピンドルモータ３７に対する保持部分と、ヘッド部３８に対する保持部分とが一体に形成されている。
【０１２９】
スピンドルモータ３７の保持部分は前後方向に延び、前後方向における中間部に凹部を有しており、当該凹部にモータが固定されている。そして、当該保持部分の後端が送り軸４５の軸方向における略中央部に回動自在に支持されている。また、当該保持部分には、その後端から後斜め下方へ突出された被ロック部８１が設けられ、該被ロック部が付勢手段５１Ａによって下方へ付勢されている。尚、付勢手段５１Ａには、例えば、引張コイルバネが用いられており、これは被ロック部８１の下面と、筐体部２の底面との間に張設されており、支持枠４３を再生可能位置へと傾動させる方向への付勢力を常に与えている。
【０１３０】
支持枠４３の右側面部は前後方向に長い棒状に形成され、その後端部が送り軸４５の右端寄りの位置において回動自在に支持されている。そして、側面の略中央には、前後に離間して第１の作用軸４３ａと第２の作用軸４３ｂとが右方へ突設されている。尚、本例では、第１の作用軸４３ａが後方に位置され、第２の作用軸４３ｂが前方に位置されており、両軸はシャーシ３１の右側面部に形成された切欠３１ｂを通されている。また、第１の作用軸４３ａと第２の作用軸４３ｂに対して、スライド板９８Ａが設けられており、支持枠４３が再生可能位置に来ているときには、第１の作用軸４３ａがスライド板９８Ａの支持部９８ｂに係合されることで支持され、また、ディスクのイジェクト操作時には、スライド板９８Ａに形成された斜面部９８ｃに沿って第２の作用軸４３ｂが下げられることにより支持枠４３が退避位置へと傾動される構成となっている。
【０１３１】
尚、スライド板９８Ａについては、筐体部２の右側面部１０ｂにコイルバネを用いて後方への付勢力を与えられた状態で取り付けられており、右側面部１０ｂに形成された長孔１０ｆを介して操作摘子１２と結合されている。
【０１３２】
支持枠４３の前端部４３Ｆには、後方へ突出され左右方向に延びるガイド突条５５が形成されており、これに移動ベース４０の摺動部４０ａが係合されている。
【０１３３】
そして、前端部４３Ｆの右側前端部から前方に突出された部分が上方から見てＬ字状をなしていて、その端部に位置決めピン６９が上方へ向けて突設されている。つまり、本例では支持枠４３の傾動とともに位置決めピン６９が移動されてその高さが規定される構成となっている。
【０１３４】
シャーシ３１の上面部３１ａの後端部にはイジェクトアーム８５Ａが回動自在に支持されており、当該部材の形状に対応する切欠３１ｆがシャーシ３１の後端に形成されている。
【０１３５】
図３７及び図３７は、イジェクト部の構成例を示したものである。
【０１３６】
イジェクトアーム８５Ａは、アーム部２００と、回動ベース２０１とから構成されている。
【０１３７】
Ｌ字状に形成されたアーム部２００は、ディスクカートリッジ１０１の後端に当接される作用部２００ａが形成され、当該作用部に連続された連結部には２つの挿通孔２００ｂ、２００ｂが形成されている。
【０１３８】
回動ベース２０１を構成する被支持部２０１ａの中央に、挿通孔２０１ｂが形成されており、図示しない固定用部材（取付ビス等）を当該挿通孔２０１ｂに挿通させてシャーシ３１の上面部３１ａに取り付けることにより、被支持部２０１ａがシャーシ３１に対して回動可能な状態とされる。そして、挿通孔２０１ｂの中心を回動支点とする被支持部２０１ａの前縁から下方へ折り曲げられたロック部８２Ａが形成されるとともに、被支持部２０１ａの後縁から下方へ折り曲げられた部分２０１ｃとが一体に形成されている。尚、コイルバネ２０２の一端が、ロック部８２Ａの右端に形成されたバネ掛け孔に引っ掛けられ、当該コイルバネの他端がシャーシに形成された図示しないバネ掛け部に引っ掛けられているので、回動ベース２０１には、上方からみて反時計回り方向に回動させようとする力が付勢されている。
【０１３９】
回動ベースを構成する部分２０１ｃには、上下方向に延びる２つの長孔２０３、２０３が一定の間隔をおいて互いに平行な位置関係をもって形成されている。そして、部分２０１ｃの下端中央には、Ｌ字状に屈曲されたバネ受け部２０４が一体に形成されている。
【０１４０】
タッピングプレート２０５には、上記挿通孔２００ｂ、２００ｂに対応する螺孔２０５ａ、２０５ａが形成されている。つまり、ネジ２０６、２０６を挿通孔２００ｂ、２００ｂにそれぞれ挿通した後、各ネジをカーラー２０７、２０７にそれぞれ通して、これらのカーラーを長孔２０３、２０３内にそれぞれ位置させ、この状態でネジ２０６、２０６の端部をタッピングプレート２０５の螺孔２０５ａ、２０５ａにそれぞれ螺合することにより、アーム部２００とタッピングプレート２０５が一体となって、長孔２０３、２０３に沿って上下方向にスライド可能な状態で回動ベース２０１の部分２０１ｃに取り付けられる。
【０１４１】
尚、タッピングプレート２０５の下縁中央には、上記バネ受け部２０４に対応するＬ字状のバネ受け部２０５ｂが形成されており、圧縮コイルバネ２０８の上端部がバネ受け部２０５ｂに係合され、圧縮コイルバネ２０８の下端部がバネ受け部２０４に係合される。
【０１４２】
図３８に示すように、長孔２０３、２０３内に配置されるカーラー２０７、２０７を通してネジ２０６、２０６によりアーム部２００とタッピングプレート２０５が連結された状態とされ、タッピングプレート２０５と部分２０１ｃとに亘って設けられた圧縮コイルバネ２０８により、当該タッピングプレート２０５及びアーム部２００には、上方に付勢する力が常に働くことになる。
【０１４３】
尚、被支持部２０１ａは、シャーシ３１の後面部に形成された図示しない切欠の付近に位置され、図３４に示すように、アーム部２００だけが、シャーシ３１の上面部３１ａの後端から上に出た状態とされる。つまり、ロック部８２Ａを含む回動レバー２０１等の部材は上面部３１ａの下側に全て隠されている。
【０１４４】
ロック部８２Ａは被支持部２０１ａから屈曲された横長の平板状部分とされ、当該ロック部８２Ａの右端部には、上記コイルバネ２０２が張設されている。このコイルバネは引張コイルバネとされ、これによって回動ベース２０１には、上から見て反時計回り方向への回動力が付与されており、支持枠４３が再生可能位置にある場合には、ロック部８２Ａの左端部前面が支持枠４３の被ロック部８１の後端に弾接されている。
【０１４５】
尚、アーム部２００の作用部２００ａは、左方へ張り出しており、ロック部８２Ａが被ロック部８１に弾接されている状態においては、シャーシ３１の上面部３１ａの後端縁よりも後側に位置されている。また、収容部３の状態について第２の位置とされ、かつ支持枠４３が退避位置に来ている場合には、アーム部２００が上方から見て時計回り方向に回動された状態となっていて、その作用部２００ａがシャーシ３１の切欠３１ｆ内に受け入れられた状態とされる。
【０１４６】
図３９は、支持枠４３が再生可能位置にある状態を示しており、カートリッジ１０１が所定の位置まで挿入されると、その後面によってアーム部２００の作用部２００ａが押圧されていく。これに伴い回動ベース２０１も、コイルバネ２０２０の付勢力に抗して回動され、ロック解除位置に至る。
【０１４７】
このロック解除位置では、ロック部８２Ａが支持枠４３の被ロック部８１の後側に位置しており、支持枠４３が付勢手段５１Ａの付勢力により、送り軸４５を支点として回動されて、最終的に水平な状態となる。
【０１４８】
支持枠４３が再生可能位置に達すると、位置決めピン６９がシャーシ３１の上面部３１ａから上方へ突出され、当該位置決めピンがディスクカートリッジ１０１に形成された図示しない位置決め孔に嵌合され、これによってカートリッジ１０１のシャーシ３１に対する位置決めが為される。
【０１４９】
そして、ターンテーブル３６がカートリッジ１０１の開口部から挿入され、ターンテーブル３６のセンターリング部によってディスク１０２のチャッキングがなされる。つまり、ディスク１０２がターンテーブル３６によって押し上げられ、当該ターンテーブルに設けられた図示しないマグネットによって（クランピング）プレートが吸着されてディスク１０２に対するチャッキングが為され、ディスク１０２がターンテーブル３６の回転に伴って回転可能な状態とされる。このとき、カートリッジ１０１のアクセス用孔１０１ａに、ヘッド部３８の２軸アクチュエータ３９の一部が挿入された状態となる。
【０１５０】
図４０は、ディスク排出時の説明図であり、操作摘子１２を手前側にスライド操作すると、スライド板９８の支持部９８ｂによる第１の作用軸４３ａの支持が解除されるとともに、スライド板９８の斜面部９８ｃによって第２の作用軸４３ｂが押し下げられる。
【０１５１】
支持枠４３の前端部４３Ｆがほぼ下方に回動されると、被ロック部８１は付勢手段５１Ａによる力に抗して上方に回動され、イジェクトアーム８５Ａのロック部８２Ａに対する回動規制が解除されるようになっており、これにより、アーム部２００及び回動ベース２０１がロック位置へ向けて回動され、アーム部２００の作用部２００ａがカートリッジ１０１の後面を前方へ押し出す。
【０１５２】
イジェクトアーム８５Ａがロック位置へ来た状態では、そのロック部８２Ａによって、退避位置にある支持枠４３の被ロック部８１がロックされる（つまり、当該被ロック部８１が、ロック部８２Ａとシャーシ３１の上面部３１ａとの間に挟み込まれた状態で保持される。）。
【０１５３】
このようにカートリッジ１０１を排出するときや、当該カートリッジの挿入時において、支持枠４３が退避位置にあり、位置決めピン６９、ターンテーブル３６、ヘッド部３８等がカートリッジ１０１に対して接触することがないので、カートリッジ１０１を円滑に抜き差しすることができる。
【０１５４】
尚、ディスクカートリッジの装着や排出を行わない場合において、収容部３を閉じるときには、当該収容部によってイジェクトアーム８５Ａが下方（筐体部２の側）に押し下げられる。つまり、既述のように、アーム部２００及びタッピングプレート２０５が回動ベース２０１に対して上下方向にスライド自在な状態で取り付けられており（イジェクトアーム８５Ａには筐体部２から突出する方向への付勢力が常に働いている。）、収容部３を筐体部部側に押していくと、それに伴ってアーム部２００が下降していくので、当該アームの存在が収容部３の下降にとって支障を来すことはない（収容部３を持ち上げてこれを開く時には、圧縮コイルバネ２０８の力によりアーム部２００及びびタッピングプレート２０５が上昇する。）。また、シャーシ３１の上面部３１ａの後端に形成された切欠３１ｆについては、収容部３を閉じるにときにアーム部２００が上面部３１ａの後端縁よりもやや前方に来ているので（コイルバネ２０２の付勢力に依る。）、そのままではアーム部２００の下降により上面部３１ａに突き当たってしまうので、アーム部２００の下降に対する逃げ部として形成されたものである。
【０１５５】
以上に説明した構成によれば、ディスク状記録媒体を装置に装着していない状態では、シャーシの上面よりも上方に回転駆動部やヘッド部の一部が位置することがない。尚、シャーシ上面よりも上方に出た状態になっているのはイジェクトアームであるが、当該アームは収容部の筐体部へのスライドとともに、筐体部内に収容される構成が採用されているので、上記した第２の位置ではシャーシの上面よりも下がった位置に来ている。また、シャッター開閉機構や押えバネ等に対しては、これらに対応する逃げ穴、切欠等をシャーシに形成することで対処することができる。
【０１５６】
そして、筐体部に対して収容部をスライド自在な状態で取り付けた構造を採用することにより、ディスクを使用しないときには筐体部に対して収容部を閉じた状態とし、厚みを薄くすることができるので、例えば、携帯上の利便性が向上する。
【０１５７】
【発明の効果】
以上に記載したところから明らかなように、請求項１に係る発明によれば、ディスク状記録媒体の不使用時には収容部を第２の位置へとスライドさせることにより、装置の厚みを薄くすることができるとともに、この状態ではディスク状記録媒体のための収容空間がなくなり又は充分に小さなスペースとなるので、厚さ方向の押圧力に対する機械的強度を確保することができる。また、収容部がディスクホルダーの機能を果たすので、その分、装置の厚みを薄くすることができ、また、ディスク状記録媒体の挿入時及び排出時に当該ディスク状記録媒体を一方向にのみ移動させるだけで良く、機構が複雑とならず、その分、コストの低減を図ることができる。
【０１５８】
請求項２や請求項９に係る発明によれば、収容部が第２の位置にスライドされる際に、イジェクト機構が収容部の移動を妨げることがない。
【０１５９】
請求項３に係る発明によれば、収容部が第２の位置にスライドされる際に、シャッター開閉機構が収容部の移動を妨げることがない。
【０１６１】
請求項４に係る発明によれば、筐体部に対する収容部の開閉機構が簡単で済む。
【０１６２】
請求項５に係る発明によれば、送り軸を支軸としてヘッド部を傾動させてディスク状記録媒体に対して離接する方向へ移動させるようにしたので、ヘッド部をディスク状記録媒体の半径方向へと動作させるためにモータ等の移動が必要なくなり、ヘッド部の位置精度を高くすることができる。そして、ヘッド部を傾動させるための専用の回動支軸を設ける必要がないため製造コストの低減を図ることができる。
【０１６３】
請求項６に係る発明によれば、ヘッド部やスピンドルモータについてそれぞれの支持枠を連動して傾動させることで、両支持枠を各別に駆動するための機構が不要となる。
【０１６４】
請求項７に係る発明によれば、ターンテーブルを傾動させるための専用の回動支軸を設ける必要がなく、製造コストの低減を図ることができる。
【０１６５】
請求項８に係る発明によれば、イジェクト機構において、ターンテーブル又はヘッド部の支持枠をディスク状記録媒体から離間した位置で保持するためのロック部を設けることによって、機構の簡単化及び動作の適正化を図ることができる。
【０１６６】
請求項１０に係る発明によれば、付勢手段によって、ターンテーブル又はヘッド部への復元力を容易に得ることができる。
【図面の簡単な説明】
【図１】ディスク装置及びディスク状記録媒体について構成例を示す斜視図である。
【図２】収容部（上パネル）が閉まった状態のディスク装置を示す斜視図である。
【図３】収容部の構成例を示す分解斜視図である。
【図４】筐体部の構成例を示す分解斜視図である。
【図５】筐体部に対する付勢手段の取付状態を示す要部の断面図である。
【図６】収容部、連結部材、付勢手段の関係についての説明図である。
【図７】図８乃至図１０と共に筐体部に対する収容部の動きについて説明するための図であり、本図は収容部が閉じられた状態を示す。
【図８】収容部が後方に押された状態を示す図である。
【図９】収容部の後側部分が持ち上がった状態を示す図である。
【図１０】収容部のロックが外れた状態を示す図である。
【図１１】図１２乃至図１６とともに、変形例について説明するための図であり、本図は収容部を示す分解斜視図である。
【図１２】筐体部を示す分解斜視図である。
【図１３】図１４乃至図１６と共に筐体部に対する収容部の動きについて説明するための図であり、本図は収容部が閉じられた状態を示す。
【図１４】収容部が後方に押された状態を示す図である。
【図１５】収容部の前側部分が持ち上がった状態を示す図である。
【図１６】収容部のロックが外れた状態を示す図である。
【図１７】図１８乃至図２６と共に筐体部の構成例を示すものであり、本図は概略的な分解斜視図である。
【図１８】内部機構について概略的に示す斜視図である。
【図１９】支持枠に対する付勢手段について要部を示す図である。
【図２０】回転駆動部の支持機構について要部を示す図である。
【図２１】支持枠同士の連動した動きについて説明するための図である。
【図２２】位置決めピンの移動機構について要部を示す図である。
【図２３】イジェクト部の構成について要部を示す図である。
【図２４】カートリッジの位置決めについて説明するための図である。
【図２５】図２４とは別の位置決め機構について説明するための図である。
【図２６】スライド板の要部を示す図である。
【図２７】図２８乃至図３１と共にディスク状記録媒体の挿入時及び排出時の動作について説明するための図であり、本図はディスク挿入前の状態を示す。
【図２８】ディスクの挿入途中の状態を示す。
【図２９】ヘッド部の支持枠に対するロックが外れた状態を示す。
【図３０】ディスクを装着した状態を示す。
【図３１】ディスクを排出するときの状態を示す。
【図３２】図３３とともに回転駆動部の状態について説明するための図であり、本図は再生可能位置における状態を示す。
【図３３】退避位置における状態を示す図である。
【図３４】図３５乃至図４０とともに、ディスク装置について別の構成例例を示すものであり、本図は収容部及び筐体部の要部を示す分解斜視図である。
【図３５】収容部及び筐体部の連結状態について説明するための要部の断面図である。
【図３６】筐体部の内部機構について要部を示す分解斜視図である。
【図３７】図３８とともにイジェクト部の構成例を示したものであり、本図は分解斜視図である。
【図３８】イジェクト部の断面図である。
【図３９】図４０とともに回転駆動部及びヘッド部の状態について説明するための図であり、本図は再生可能位置における状態を示す。
【図４０】退避位置における状態を示す図である。
【符号の説明】
１、１Ａ…ディスク装置、２…筐体部、３…収容部、４…ディスク挿脱口、２５Ｒ、２５Ｌ…付勢手段、３１…シャーシ、３６…ターンテーブル、３７…スピンドルモータ、３８…ヘッド部、４２、４３…支持枠、４５…送り軸、５１、５１Ａ…付勢手段、８２、８２Ａ…ロック部、８５、８５Ａ…イジェクトアーム、１００…ディスク状記録媒体、１０３…シャッター
【図１】
0004452968.tif 000002
【図２】
0004452968.tif 000003
【図３】
0004452968.tif 000004
【図４】
0004452968.tif 000005
【図５】
0004452968.tif 000006
【図６】
0004452968.tif 000007
【図７】
0004452968.tif 000008
【図８】
0004452968.tif 000009
【図９】
0004452968.tif 000010
【図１０】
0004452968.tif 000011
【図１１】
0004452968.tif 000012
【図１２】
0004452968.tif 000013
【図１３】
0004452968.tif 000014
【図１４】
0004452968.tif 000015
【図１５】
0004452968.tif 000016
【図１６】
0004452968.tif 000017
【図１７】
0004452968.tif 000018
【図１８】
0004452968.tif 000019
【図１９】
0004452968.tif 000020
【図２０】
0004452968.tif 000021
【図２１】
0004452968.tif 000022
【図２２】
0004452968.tif 000023
【図２３】
0004452968.tif 000024
【図２４】
0004452968.tif 000025
【図２５】
0004452968.tif 000026
【図２６】
0004452968.tif 000027
【図２７】
0004452968.tif 000028
【図２８】
0004452968.tif 000029
【図２９】
0004452968.tif 000030
【図３０】
0004452968.tif 000031
【図３１】
0004452968.tif 000032
【図３２】
0004452968.tif 000033
【図３３】
0004452968.tif 000034
【図３４】
0004452968.tif 000035
【図３５】
0004452968.tif 000036
【図３６】
0004452968.tif 000037
【図３７】
0004452968.tif 000038
【図３８】
0004452968.tif 000039
【図３９】
0004452968.tif 000040
【図４０】
0004452968.tif 000041